(57)【要約】【課題】  屋外等に設置される本体装置に取り付けられる金銭処理装置の防水性を向上させる。【解決手段】  本発明の金銭処理装置によれば、表扉３の上端部内側に設けたパッキン３０５によって金銭処理装置の内部に水分が浸入するのが防止されるとともに、その水分が、溝部３１２と枠カバー３０２により形成される樋構造によって積極的に外部に送出される。このため、屋外等に設置される給油ポンプに金銭処理装置を組み込んでも、その防水性を確保することができる。また、この樋構造によって水分がいったん流れだすと、その表面張力によって水分が積極的に排出側に引き込まれるように流されるため、仮にパッキン３０５が多少劣化した状態でも、その水分を内部に浸透させることなく排除することができる。【選択図】  図６
2006099577.tif 000002
【特許請求の範囲】
【請求項１】
接客面を有する筐体内に金銭処理機構を備え、前記接客面が本体装置に露出される状態で組み込まれ、前記接客面に設けられた貨幣投入口から貨幣が投入されると、前記本体装置と協働して所定の金銭処理を行う金銭処理装置において、
前記接客面に開閉可能に設けられた扉と、
前記扉の周縁部にその奥側で対向するように設けられたパネル枠と、
前記扉および前記パネル枠の少なくとも一方に設けられ、前記扉が閉められた際に前記扉と前記パネル枠との間隙に密着して介装され、前記扉を伝った水分の内部への浸入を阻止するシール部材と、
前記扉を伝って流入し、前記シール部材に塞き止められた水分を外部に送出するための樋構造と、
を備えたことを特徴とする金銭処理装置。
【請求項２】
前記扉の周縁を囲むように設けられて前記接客面の一部を構成するとともに、前記パネル枠との間に包囲された空間を形成する枠カバーを備え、
前記樋構造は、前記扉と前記枠カバーとの隙間から流入した水分を、前記枠カバーに沿って外部に送出するように構成されたことを備えたことを特徴とする請求項１記載の金銭処理装置。
【請求項３】
前記扉のヒンジが前記扉の内側に設けられ、
前記シール部材は、少なくとも、前記扉の裏面上部に沿って配設されたパッキンと、前記ヒンジ側の扉の側部に設けられて、前記パネル枠と前記扉との隙間を外方から弾性的に覆ってシールするシール板とからなること、
を特徴とする請求項２記載の金銭処理装置。
【請求項４】
前記樋構造は、
前記扉の上端部において、前記パッキンと前記パネル枠によって形成された溝部と、
前記枠カバーにおいて前記溝部の延長線上に形成された横孔と、
前記扉に隣接して上下に延び、前記横孔に連通する前記枠カバーの内部と、
により構成されたことを特徴とする請求項３記載の金銭処理装置。
【請求項５】
前記接客面に、前記枠カバーの下端部に連通して内部の水分を外部に排出させるための排水孔が設けられたことを特徴とする請求項４記載の金銭処理装置。
【請求項６】
前記シール板と前記枠カバーの間の間隙により、第２の樋構造が形成されたことを特徴とする請求項３記載の金銭処理装置。
【請求項７】
前記パネル枠の前記扉の開放部側の端縁に対向する面に、前記扉が閉められた際に前記扉と前記パネル枠との間隙に密着して介装され、前記扉を伝った水分の内部への浸入を阻止する第２のパッキンが設けられたことを特徴とする請求項４記載の金銭処理装置。
【請求項８】
前記筐体内に紙幣処理装置と硬貨処理装置とを一体に備え、
前記紙幣処理装置は、前面下部に設けられた紙幣投入口から入金された紙幣を鑑別する入金紙幣鑑別部と、上部に配置されて特定の１つの金種を除く全ての金種の前記紙幣を一括して混合収納する第１の金庫と、前記第１の金庫の下部に隣接して配置され、前記特定の１つの金種の前記紙幣を収納したり、収納されている前記紙幣を釣銭として繰り出すことができるリサイクル機能を持った第２の金庫と、前記第２の金庫の下部に配置されて前記第２の金庫から繰り出された前記紙幣を出金に必要な枚数に達するまで保留し、保留された前記紙幣を前面下部に設けられた紙幣出金口へ一括して出金する出金保留部とを備え、
前記硬貨処理装置は、上下に延びるように設けられ、奥行方向に複数並設された釣銭チューブと、前記釣銭チューブの手前側に並ぶように上下に延設され、前面下部に設けられた硬貨投入口から投入された硬貨を上方に搬送するリフタ部と、前記リフタ部を構成する搬送通路の中間に設けられ、搬送される硬貨を識別する硬貨識別部と、前記リフタ部の上端部近傍から前記釣銭チューブの上方を奥行方向に延び、前記リフタ部から前記硬貨を受け取って搬送し、対応する釣銭チューブに振り分ける硬貨振分部と、前記釣銭チューブの下方に奥行方向に延び、いずれかの釣銭チューブから出金された硬貨を前面下部に設けられた硬貨払出口に搬送する出金硬貨搬送部とを備えたこと、
を特徴とする請求項４記載の金銭処理装置。
【発明の詳細な説明】
【技術分野】
【０００１】
本発明は、本体装置に組み込まれて所定の金銭処理を行う金銭処理装置に関する。
【背景技術】
【０００２】
例えばガソリンスタンドなどでは、給油した量に応じて現金の入出金処理を行うが、特にセルフサービス方式のガソリンスタンドにおいては、ガソリンの給油から清算までを利用者自身が行うことになっている。そのため、利用者は、その給油を行う場所において給油から清算までの全ての操作をできることが望ましい。しかし、現金の入出金処理を行う部分に関しては、給油ポンプの大きさがある程度決まっているため、その中に、紙幣および硬貨を取り扱う装置を組み込むスペースに制約がある。
【０００３】
そこで、従来の給油ポンプでは、紙幣の入出金処理を行う紙幣処理装置のみが搭載されており、小額の釣銭があるとき、または硬貨による清算を行う場合には、別の場所に併設された清算機もしくは店内で釣銭の清算を行うようにしている。
【０００４】
その清算機などには、釣銭処理を行うことができる硬貨処理装置が設けられていて、入金された硬貨の金種を判別し、判別された金種に応じて収納するとともに、収納された硬貨の中から該当する金種および枚数分の硬貨が釣銭として払い出しできるようになっている。このような硬貨処理装置は、流通している硬貨の全金種を取り扱うことができるもので、例えばスーパーマーケットなどで用いられているキャッシュドロアと連動して動作する釣銭機と同様な機器構成が採用されている（例えば、特許文献１参照。）。
【０００５】
ところで、現金の入出金処理は、紙幣のみならず硬貨の釣銭の清算まで同じ給油ポンプの場所にて行うことが要望されているが、給油ポンプに搭載される従来の金銭処理装置は、スペースの関係で紙幣処理装置のみであって、硬貨処理装置を一緒に組み込むことができないため、清算をするのに場所を変えなければならず、煩わしい。このため、硬貨処理装置も小型化してこの金銭処理装置に組み込めるようにすることが要請されている。
【０００６】
そして、このように紙幣処理装置と硬貨処理装置を一緒に組み込んだ装置が実現されると、利用者がその給油から清算までの全ての操作を行えるようになるが、一方で、金銭を取り扱う装置全体が屋外に配置されることになる。このため、雨天のときの防水機能を確保する必要性が生じる。
【０００７】
従来は、このような装置において防水性を高めるために、装置本体と前面扉との間に形成される隙間にこれを水密にシールする防水パッキンを配置するなどの方法がとられていた（例えば、特許文献２参照。）。
【特許文献１】特開２００１−３５１１３６号公報（図３）
【特許文献２】特開２００１−１０９９２６号公報（図３）
【発明の開示】
【発明が解決しようとする課題】
【０００８】
しかしながら、このようなパッキンのみのシールではその耐久性が懸念され、装置の断続的な使用によってパッキンが劣化すると、防水機能が著しく低下してしまう。このため、パッキンを定期的に交換しなければならず、非常に煩わしいといった問題が生じる。
【０００９】
なお、このような硬貨処理装置の防水性の問題は、給油ポンプに搭載される金銭処理装置のみならず、屋外に設置される自動販売機や両替機その他の金銭処理装置にも同様に生じるものである。
【００１０】
本発明はこのような点に鑑みてなされたものであり、屋外等に設置される本体装置に取り付けられる金銭処理装置の防水性を向上させ、より好ましくは、コンパクトな構成でこれを実現できる金銭処理装置を提供することを目的とする。
【課題を解決するための手段】
【００１１】
本発明では上記問題を解決するために、接客面を有する筐体内に金銭処理機構を備え、前記接客面が本体装置に露出される状態で組み込まれ、前記接客面に設けられた貨幣投入口から貨幣が投入されると、前記本体装置と協働して所定の金銭処理を行う金銭処理装置において、前記接客面に開閉可能に設けられた扉と、前記扉の周縁部にその奥側で対向するように設けられたパネル枠と、前記扉および前記パネル枠の少なくとも一方に設けられ、前記扉が閉められた際に前記扉と前記パネル枠との間隙に密着して介装され、前記扉を伝った水分の内部への浸入を阻止するシール部材と、前記扉を伝って流入し、前記シール部材に塞き止められた水分を外部に送出するための樋構造と、を備えたことを特徴とする金銭処理装置が提供される。
【００１２】
このような金銭処理装置では、扉が閉められた際に、この扉とパネル枠との間隙に密着するシール部材によって、雨水等の水分が金銭処理装置の内部に浸入するのが防止されるとともに、シール部材によって塞き止められた水分が、樋構造によって外部に送出される。このとき、樋構造によって水分がいったん流れだすと、その水分は積極的に排出側に引き込まれるように流される。
【発明の効果】
【００１３】
本発明の金銭処理装置によれば、シール部材によって水分が金銭処理装置の内部に浸入するのが防止されるとともに、その水分が樋構造によって積極的に外部に送出される。このため、屋外等に設置される本体装置に取り付けられる金銭処理装置の防水性を向上させることができる。
【発明を実施するための最良の形態】
【００１４】
以下、本発明の実施の形態を、セルフサービス方式のガソリンスタンドに設置される給油ポンプに搭載するようにした金銭処理装置を例に図面を参照して詳細に説明する。図１は金銭処理装置の外観を示す説明図である。
【００１５】
この金銭処理装置１は、紙幣処理装置と硬貨処理装置とを筐体２内に収容して構成され、その接客面（正面）が給油ポンプ（本体装置）に露出される状態で組み込まれ、ガソリンを所定量単位で販売する際に現金の入出金処理を行う機能を有する。
【００１６】
金銭処理装置１は、筐体２の正面の上部に、表扉３が開閉可能に設けられている。表扉３には錠４が設けられ、保守作業を行うとき以外は施錠しておくことができるようになっている。筐体２の中には、正面から見て左側に紙幣処理装置、右側に硬貨処理装置が収容されている。このため、表扉３の下方の左側には、紙幣を入出金することができる紙幣投入口および紙幣出金口が配置されており、これら紙幣投入口および紙幣出金口は、使用時に利用者によって開閉されるカバー５によって覆われている。表扉３の下方の右側には、硬貨を入出金することができる硬貨投入口２０１および硬貨払出口が配置されており、その硬貨払出口は、使用時に利用者によって開閉されるカバー６によって覆われている。
【００１７】
この給油ポンプは屋外に設置されるため、金銭処理装置１の筐体２には、雨天時等に内部に水が浸入するのを防止するための所定の防水構造が設けられている。この防水構造の詳細については後述する。
【００１８】
次に、金銭処理装置に収容されている紙幣処理装置の構成について説明する。図２は紙幣処理装置の概要を示す内部側面図である。
紙幣処理装置１００は、その前面下部に紙幣を１枚ずつ投入する紙幣投入口１０１を有し、この紙幣投入口１０１の奥に紙幣投入センサ１０２が配置されている。この紙幣投入センサ１０２は、投入された紙幣を取り込むための図示しない取り込みローラを駆動するモータ１０３および取り込まれた紙幣を搬送するための入金紙幣搬送部を駆動するモータ１０４に連動しており、紙幣の投入を検知した場合に、取り込みローラおよび入金紙幣搬送部を動作させるよう構成されている。紙幣投入センサ１０２の下流側には、入金紙幣鑑別部１０５が配置されている。この入金紙幣鑑別部１０５は、複数のセンサを備えていて、入金紙幣搬送部によって搬送される紙幣が通過する間に紙幣の真贋判定および金種の識別を行う。紙幣投入センサ１０２と入金紙幣鑑別部１０５とは、入金紙幣鑑別部１０５による紙幣の鑑別が始まると、紙幣の後端が紙幣投入センサ１０２を抜けるような位置関係になっていて、紙幣投入センサ１０２が紙幣を検知できなくなった時点で、モータ１０３は停止され、次の紙幣を取り込まないようにしている。ここで、搬送されてきた紙幣がこの入金紙幣鑑別部１０５によって正貨と判断されなかった場合、その紙幣は、モータ１０３，１０４を逆転動作させることにより、紙幣投入口１０１へ返却される。
【００１９】
入金紙幣搬送部は、モータ１０６によって駆動されて紙幣を垂直方向に搬送する垂直紙幣搬送部に連絡されている。この垂直紙幣搬送部の下部近傍には、紙幣の通過をゲートの動きによって検出する通過センサ１０７が配置されており、入金紙幣鑑別部１０５によって正貨と判断された紙幣の通過を検出する。
【００２０】
垂直紙幣搬送部は、その上端が混合紙幣収納庫１０８に接続され、中間部が千円紙幣収納庫１０９に接続され、下端近傍が出金リジェクト庫１１０および出金保留部１１１に接続されている。垂直紙幣搬送部の中間部には、搬送されてきた紙幣を混合紙幣収納庫１０８の方向へ向かわせるか千円紙幣収納庫１０９の方向へ向かわせるかを切り換えるゲート１１２を備え、混合紙幣収納庫１０８および千円紙幣収納庫１０９の入口には、紙幣の通過を検出する通過センサ１１３，１１４がそれぞれ配置されている。
【００２１】
混合紙幣収納庫１０８は、二千円、五千円および一万円の高額紙幣を混合して収納するためのもので、これらの紙幣は、釣銭として再利用されることはない。千円紙幣収納庫１０９は、最小額の千円紙幣を収納するためのもので、収納されている千円は、釣銭として払い出される紙幣に利用される。このため、千円紙幣収納庫１０９に隣接して、モータ、複数のローラなどから構成される紙幣繰出部１１５と、ゲート１１２と通過センサ１１４との間の搬送通路に配置された出金紙幣鑑別部１１６とを備えている。
【００２２】
混合紙幣収納庫１０８と千円紙幣収納庫１０９との間には、これらの紙幣収納動作および出金時における収納紙幣の紙幣繰出部１１５への付勢動作を行うようにした共通の駆動源としてのモータ１１７と、紙幣収納動作および付勢動作における可動部の上死点および下死点を検知するための位置検知センサ１１８，１１９とを備えている。
【００２３】
垂直紙幣搬送部の下端近傍に接続された出金搬送部には、千円紙幣収納庫１０９から繰り出されてきた紙幣の通過を検知する通過センサ１２０を備え、その下流側には、搬送されてきた紙幣を出金リジェクト庫１１０の方向へ向かわせるか出金保留部１１１の方向へ向かわせるかを切り換えるゲート１２１を備え、出金リジェクト庫１１０の入口には、紙幣の通過を検出する通過センサ１２２が配置されている。出金リジェクト庫１１０は、千円紙幣収納庫１０９から繰り出されてきた紙幣が出金紙幣鑑別部１１６による鑑別の結果、例えば複数枚重なった状態の紙幣であったり千円以外の金種の紙幣であるなど出金に不適切な紙幣であった場合に、そのような紙幣を収納しておくためのものである。出金保留部１１１は、千円紙幣収納庫１０９から１枚ずつ繰り出された紙幣を必要枚数になるまで一時的に保留しておくものであって、釣銭に必要な枚数の紙幣が溜まったら、それらの紙幣は、モータ１０６によって駆動される出金搬送部によって紙幣出金口１２３へまとめて束搬送される。この出金保留部１１１と紙幣出金口１２３との間には、出金紙幣の通過および利用者による出金紙幣の引き抜きを検知する通過センサ１２４と、紙幣出金口１２３に設けられてその開閉を行うシャッタ１２５とを備えている。出金保留部１１１では、保留された紙幣の束を出金搬送部の搬送ベルトへ押し付けることによって紙幣出金口１２３の方へ搬送するようにしている。そのため、出金保留部１１１は、搬送ベルトへの紙幣の押し付けを行う出金紙幣押圧部１２６を備えている。この出金紙幣押圧部１２６は、入金紙幣の取り込みに用いられるモータ１０３を駆動源とし、そのモータ１０３の逆転動作に連動するカム機構により保留されている紙幣に対して接離する方向に往復移動できるようになっている。その出金紙幣押圧部１２６の紙幣押圧状態および退避状態における位置は、接離方向に配置された位置センサ１２７，１２８によって感知されるように構成されている。
【００２４】
この紙幣処理装置１００は、さらに、混合紙幣収納庫１０８の収納紙幣の有無を検知するセンサ１２９、千円紙幣収納庫１０９の収納紙幣の有無および満杯状態を検知するセンサ１３０，１３１、出金リジェクト庫１１０の収納紙幣の有無を検知するセンサ１３２、および出金保留部１１１の収納紙幣の有無を検知するセンサ１３３を備えている。
【００２５】
次に、硬貨処理装置の構成について説明する。図３は、硬貨処理装置の概要を示す内部側面図である。
硬貨処理装置２００は、その前面下部に硬貨投入口２０１を有し、この硬貨投入口２０１の奥に、投入された硬貨を上方に搬送するリフタ部２０２、リフタ部２０２の搬送通路の中間に設けられて硬貨の真贋を判別するとともに金種を識別する硬貨識別部２０３、識別された硬貨を搬送しつつ金種ごとに振り分ける硬貨振分部２０４、振り分けられた硬貨を金種ごとに収容する硬貨収容部２０５、硬貨収容部２０５から硬貨を出金制御する払出機構部２０６、および硬貨収容部２０５から出金された硬貨を前面下部に設けられた硬貨払出口２０７に搬送する出金硬貨搬送部２０８を備えている。
【００２６】
硬貨投入口２０１の近傍には、投入された硬貨を引き込んでリフタ部２０２に受け渡すローラ２０９が設けられている。このローラ２０９は、モータ２１０および図示しない動力伝達部によって駆動される。モータ２１０は、硬貨投入口２０１の近傍に設けられた検知センサ２１１が貨幣の投入を検知することにより駆動される。また、硬貨投入口２０１の近傍には、硬貨投入口２０１を閉じることが可能なシャッタ２１２とこれを駆動するソレノイド２１３が設けられている。このシャッタ２１２は、通常は開放されており、装置内部で故障や詰まり等の問題が発生した場合など予め定める条件に基づいて硬貨投入口２０１を閉じ、硬貨の投入を禁止する。
【００２７】
リフタ部２０２は、垂直方向に配置された図示しない複数のプーリと搬送ベルト２１４とを有し、最上部に配置されたプーリがモータ２１５によって駆動されることにより、硬貨投入口２０１に投入された硬貨を上方へ搬送する。リフタ部２０２の搬送通路の中間には、上記硬貨識別部２０３およびリジェクトゲート２１６が配置されている。このリジェクトゲート２１６は、ソレノイド２１７により駆動され、硬貨識別部２０３にて正貨として識別できなかった硬貨を捕捉してリジェクト用のシュート２１８に引き渡す。シュート２１８の下端部には、このシュート２１８を落下した硬貨を検知する検知センサ２１９が設けられており、検知センサ２１９の出力を用いて硬貨がリジェクトされたことを確認できるようになっている。シュート２１８を介して落下した硬貨は、出金硬貨搬送部２０８によって硬貨払出口２０７に搬送されて返却される。
【００２８】
硬貨振分部２０４は、金種ごとの複数の振分ゲート２２０が硬貨収容部２０５の上方に水平方向（奥行方向）に並設され、これらの振分ゲート２２０に対向して搬送ベルト２２１が配置されている。搬送ベルト２２１は、硬貨処理装置の前面側（図の左側）と奥側（図の右側）とに配置されたプーリに掛け渡されており、硬貨処理装置の前面側のプーリに直結された駆動プーリに、タイミングベルトなどを介してモータ２２２の動力が伝達されるように構成されている。搬送ベルト２２１は、リフタ部２０２により上方に搬送されてきた硬貨を受け取って奥側へ搬送する。そして、硬貨が硬貨識別部２０３にて判別された金種に対応した振分ゲート２２０に到達する前に、その金種に対応した振分ゲート２２０が、スライド移動して搬送通路を遮断する。すなわち、最前部の振分ゲート２２０の手前の搬送通路には、硬貨が搬送されてきたことを検知する検知センサ２２４が設けられている。この検知センサ２２４が硬貨を検知したことをトリガとして、その硬貨に対応する金種の振分ゲート２２０が開放されるようになっている。これにより、その硬貨は、その振分ゲート２２０から硬貨収容部２０５の対応する金種の釣銭チューブ内に落下し、釣銭チューブ内で硬貨の厚み方向に積み重ねられた状態で収納される。また、各振分ゲート２２０の近傍には、各振分ゲート２２０を通過して硬貨収容部２０５に収容される硬貨を検知するコイルセンサ２２３がそれぞれ設けられている。このコイルセンサ２２３は、フェライトコアに磁気コイルを組み込んで構成されている。そして、このコイルセンサ２２３の出力を用いて各振分ゲート２２０を通過した硬貨の数をカウントできるようになっている。
【００２９】
硬貨収容部２０５は、上下に延びるように設けられた釣銭チューブ等を奥行方向に複数並設した２つの硬貨収容カセット２２５，２２６から構成されている。手前側の硬貨収容カセット２２５は、その手前から１円，１０円，１００円をそれぞれ収容する３つの釣銭チューブを有し、奥側の硬貨収容カセット２２６は、その手前から５円，５０円，５００円をそれぞれ収容する３つの釣銭チューブと、さらにその奥側（図の右側）に配置されたオーバフロー庫を有する。各釣銭チューブは、その上端で対応する金種の振分ゲート２２０につながっている。各釣銭チューブの上端部には、硬貨が満杯になったことを検知する満杯検知センサ２２７が設けられている。そして、釣銭チューブが満杯になってオーバフローした硬貨は、オーバフロー庫に金種混合状態で収容される。硬貨収容カセット２２５の上下方向中央の手前側には、硬貨処理装置２００にこの硬貨収容カセット２２５がセットされたことを検知する検知センサ２２８が設けられており、硬貨収容カセット２２６の上下方向中央の奥側には、硬貨処理装置２００にこの硬貨収容カセット２２６がセットされたことを検知する検知センサ２２９が設けられている。
【００３０】
払出機構部２０６は、各釣銭チューブの下部に設けられた払出板をモータ２３０の駆動力によって動作制御し、選択された金種の釣銭チューブに積層収納された最下位の硬貨を１枚ずつ払い出す。すなわち、この払出機構部２０６には、硬貨の払出動作時に出金したい金種を指定するソレノイド２３１が各釣銭チューブに対応して設けられている。硬貨収容カセット２２５の下部手前側には、払出板等の位置検知を行う検知センサ２３２が設けられている。ソレノイド２３１は、払出動作をするときに、出金すべき金種に対応したものだけが動作して釣銭チューブからの硬貨の払い出しを行い、硬貨収納動作時および払出動作時で出金すべきでない金種に対応したものは、動作しない。
【００３１】
出金硬貨搬送部２０８は、払出機構部２０６の下部に配置されて奥行方向に延び、各釣銭チューブから払い出された硬貨を硬貨払出口２０７まで搬送する搬送ベルト２３３、プーリおよびモータ２３４が配置されている。搬送ベルト２３３の下面には、各釣銭チューブに対応した位置にコイルセンサ２３５が設けられ、いずれの釣銭チューブから必要金種の硬貨が確実に払い出されたことを検知できるようになっている。払い出された硬貨は、搬送ベルト２３３に載せて搬送され、硬貨払出口２０７より出金される。
【００３２】
次に、金銭処理装置の防水構造について詳細に説明する。図４は金銭処理装置の正面図であり、図５は金銭処理装置のシール部材の配置を表す説明図である。また、図６は図４のＡ−Ａ矢視断面図であり、図７は図４のＢ−Ｂ矢視断面図であり、図８は図７のＣ−Ｃ矢視断面図である。さらに、図９は図４のＤ−Ｄ矢視断面図であり、図１０は図４のＥ−Ｅ矢視断面図である。
【００３３】
図４に示すように、金銭処理装置１の筐体２においては、表扉３がその内側に設けられたヒンジ３０１を中心に回動して開閉されるようになっている。
また、表扉３の図の左側を除く周縁に沿ってこれを取り囲むように、筒状の枠カバー３０２が配設されている。この枠カバー３０２は、接客面の一部を構成する。表扉３の図の左側の周縁からは、その後方に配置されたパネル枠３０３の一部が延出しており、そのパネル枠３０３の部分の前面には、表扉３の開放部側の周縁に対向するように帯状のパッキン３０４（第２のパッキン）が配設されている。
【００３４】
また、図５に便宜的に示すように、筐体２の接客面の裏側には、表扉３の裏側の上端縁および下端縁に沿って長尺状のパッキン３０５、３０６（シール部材）がそれぞれ貼着されており、また、接客面の下半部の裏側にも、枠カバー３０２の内周縁に沿って長尺状のパッキン３０７、３０８が配設されている。さらに、表扉３と枠カバー３０２との間には、ステンレス製の板バネからなるシール板３０９が設けられている。
【００３５】
図６に示すように、筐体２の内部には、表扉３の周縁部にその奥側で対向するように長方形枠形状のパネル枠３０３が配設されており、その内周縁が前方にボス状に突出している。また、パネル枠３０３の上端部前面に沿って水切り板３１０が設けられている。この水切り板３１０は、パネル枠３０３のボス部３１１の先端から所定長さ上方に延びており、そのボス部３１１の先端縁とともにパッキン３０５との当接面を形成している。パネル枠３０３は、枠カバー３０２との間に包囲された空間Ｓを形成する。
【００３６】
一方、表扉３の裏面上部には、その周端縁に沿って上述したパッキン３０５が貼着されており、表扉３が閉められた際には、このパッキン３０５がパネル枠３０３のボス部３１１および水切り板３１０の先端に押し付けられて弾性変形しつつ密着し、表扉３と枠カバー３０２との隙間から水分が流入した場合には、その水分を塞き止めて内部への浸入を阻止する。また、同図に示すように、表扉３が閉められた際には、パッキン３０５，パネル枠３０３および水切り板３１０によって形成された溝部３１２により樋構造が形成され、パッキン３０５に塞き止められた水分が、この樋構造を伝って外方（図６の手前側：図４の矢印参照）に送出される。
【００３７】
なお、表扉３の下端部は、その直下の接客面の部分にやや被さるように構成されているため、特に樋構造は設けられていないが、そのパッキン３０６に沿って上述のような樋構造を設けるようにしてもよい。
【００３８】
図７および図８に示すように、表扉３のヒンジ３０１側（図４の右側）にある枠カバー３０２の内側壁には、その上記溝部３１２の延長線上の位置に横孔３１３が設けられており、表扉３の上端縁に沿った溝部３１２と枠カバー３０２内に形成された空間Ｓとを連通させている。そして、この溝部３１２と枠カバー３０２により樋構造が構成されている。
【００３９】
図９に示すように、表扉３のヒンジ３０１側にあるパネル枠３０３に沿って上記シール板３０９が設けられている。このシール板３０９は、断面Ｌ字状の板バネからなり、その一側面がパネル枠３０３に沿ってねじ接合されており、他の部分が枠カバー３０２と表扉３との隙間に延びて、パネル枠３０３と表扉３との隙間を外方から弾性的に覆っている。このシール板３０９は、表扉３が開閉される際に弾性変形して、その一部が常に表扉３の角部に当接するように動作し、パネル枠３０３と表扉３との隙間を外部からシールする。
【００４０】
また、枠カバー３０２の内側の側壁とシール板３０９とにより形成された断面三角形状の空間領域３１４により、前面から流入した水分を下方に送出する樋構造（第２の樋構造）が構成されている。
【００４１】
図４に戻り、筐体２の接客面の下部には、枠カバー３０２の下端部に連通して内部の水分を外部に流出させるための排水孔３１５が設けられている。したがって、溝部３１２および枠カバー３０２を通って送出された水分は、この排水孔３１５を介して外部に排出される。
【００４２】
また、図１０に示すように、表扉３が閉められた際には、表扉３の開放部側の端縁がパッキン３０４を押圧するように密着するため、表扉３を伝った水分の内部への浸入が阻止される。
【００４３】
以上に説明したように、本実施の形態の金銭処理装置１によれば、表扉３の上端部内側に設けたパッキン３０５によって金銭処理装置１の内部に水分が浸入するのが防止されるとともに、その水分が、溝部３１２と枠カバー３０２により形成される樋構造によって積極的に外部に送出される。このため、屋外等に設置される給油ポンプに金銭処理装置１を組み込んでも、その防水性を確保することができる。また、この樋構造によって水分がいったん流れだすと、その表面張力によって水分が積極的に排出側に引き込まれるように流されるため、仮にパッキン３０５が多少劣化した状態でも、その水分を内部に浸透させることなく排除することができる。
【００４４】
また、枠カバー３０２の内部を樋構造に利用したため、樋構造のための領域を別途設ける必要がなくなり、金銭処理装置１の小型化の要請に応えることができる。
さらに、表扉３のヒンジ３０１側のシールには、パッキンではなく板バネを用いたため、表扉３の開閉時の磨耗等による劣化を防止することができ、そのシール機能を長期間確保することができる。
【００４５】
なお、本実施の形態では、図６に示したようにパッキン３０５を表扉３側に設け、図１０に示したようにパッキン３０４をパネル枠３０３側に設けた例を示したが、これらのパッキンは、扉側またはパネル枠側のどちらに設けてもよいし、双方に設けることもできる。
【図面の簡単な説明】
【００４６】
【図１】金銭処理装置の外観を示す説明図である。
【図２】紙幣処理装置の概要を示す内部側面図である。
【図３】硬貨処理装置の概要を示す内部側面図である。
【図４】金銭処理装置の正面図である。
【図５】金銭処理装置のシール部材の配置を表す説明図である。
【図６】図４のＡ−Ａ矢視断面図である。
【図７】図４のＢ−Ｂ矢視断面図である。
【図８】図７のＣ−Ｃ矢視断面図である。
【図９】図４のＤ−Ｄ矢視断面図である。
【図１０】図４のＥ−Ｅ矢視断面図である。
【符号の説明】
【００４７】
１  金銭処理装置
２  筐体
３  表扉
１００  紙幣処理装置
１０１  紙幣投入口
１０５  入金紙幣鑑別部
１０８  混合紙幣収納庫
１０９  千円紙幣収納庫
１１１  出金保留部
１２３  紙幣出金口
２００  硬貨処理装置
２０１  硬貨投入口
２０２  リフタ部
２０３  硬貨識別部
２０４  硬貨振分部
２０５  硬貨収容部
２０６  払出機構部
２０７  硬貨払出口
２０８  出金硬貨搬送部
３０１  ヒンジ
３０２  枠カバー
３０３  パネル枠
３０４，３０５，３０６，３０７，３０８  パッキン
３０９  シール板
３１０  水切り板
３１１  ボス部
３１２  溝部
３１３  横孔
３１４  空間領域
３１５  排水孔
Ｓ  空間
【図１】
2006099577.tif 000003
【図２】
2006099577.tif 000004
【図３】
2006099577.tif 000005
【図４】
2006099577.tif 000006
【図５】
2006099577.tif 000007
【図６】
2006099577.tif 000008
【図７】
2006099577.tif 000009
【図８】
2006099577.tif 000010
【図９】
2006099577.tif 000011
【図１０】
2006099577.tif 000012